【手続補正書】
【提出日】平成30年10月31日(2018.10.31)
【手続補正１】
【補正対象書類名】明細書
【補正対象項目名】０００６
【補正方法】変更
【補正の内容】
【０００６】
上記目的を達成するため、本発明の一態様の時計は、
表示部を有する電子機器において、
針画像を取得する針画像取得手段と、
位置情報を取得する位置情報取得手段と、
前記位置情報取得手段により取得された前記位置情報の位置を含むように地図画像を表示させると共に、前記針画像の回転の中心を当該地図画像上において前記位置情報の位置となるように、当該針画像を時刻を表す回転位置に重畳表示させるように前記表示部を制御する表示制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
表示部を有する電子機器において、
針画像を取得する針画像取得手段と、
位置情報を取得する位置情報取得手段と、
前記位置情報取得手段により取得された前記位置情報の位置を含むように地図画像を表示させると共に、前記針画像の回転の中心を当該地図画像上において前記位置情報の位置となるように、当該針画像を時刻を表す回転位置に重畳表示させるように前記表示部を制御する表示制御手段と、
を備えることを特徴とする電子機器。
【請求項２】
前記位置情報取得手段が取得した現在時刻の自機の位置の位置情報と、過去の所定の時刻の位置情報とを含む範囲をユーザの移動範囲として特定する特定手段を備える、
ことを特徴とする請求項１に記載の電子機器。
【請求項３】
前記位置情報取得手段は、現在時刻の自機の現在位置の位置情報を取得し、
前記表示制御手段は、前記現在位置の位置情報に応じた地図画像を表示させると共に、
当該地図画像の少なくとも一部に重畳させて、前記針画像取得手段によって取得された前記針画像を所定の時刻に応じた位置に表示させるように前記表示部を制御する、
ことを特徴とする請求項１又は２に記載の電子機器。
【請求項４】
前記表示制御手段は、前記位置情報に対応する箇所を表示領域の中心となるように地図画像を表示させるように前記表示部を制御する、
ことを特徴とする請求項１乃至３の何れか１項に記載の電子機器。
【請求項５】
前記表示制御手段は、表示領域の中心が前記針画像の回転中心となるように前記針画像を表示させるように前記表示部を制御する、
ことを特徴とする請求項１乃至４の何れか１項に記載の電子機器。
【請求項６】
前記表示制御手段は、地図画像に対してガイド線を表示するように前記表示部を制御する、
ことを特徴とする請求項１乃至５の何れか１項に記載の電子機器。
【請求項７】
前記表示制御手段は、針画像の回転中心に対して所定の方向を示すガイド線を表示する、
ことを特徴とする請求項１乃至５の何れか１項に記載の電子機器。
【請求項８】
前記位置情報取得手段は、前記特定手段により特定されたユーザの移動範囲に関する情報を取得し、
前記表示制御手段は、前記位置情報取得手段により取得された前記移動範囲と、前記位置情報と、に応じた画像を表示させるように前記表示部を制御する、
ことを特徴とする請求項２に記載の電子機器。
【請求項９】
前記表示制御手段は、地図表示に際して、前記位置情報に応じた地図画像を表示する第一の地図表示画面と、前記第一の地図表示画面よりも広い範囲の地図画像を表示させる第二の地図表示画面との２つの地図表示画面の切り替え処理をアニメーションを含むように表示させる、
ことを特徴とする請求項１乃至８の何れか１項に記載の電子機器。
【請求項１０】
前記表示制御手段は、前記第二の地図表示画面から前記第一の地図表示画面への地図表示画面の切り替え処理を、前記第二の地図表示画面上で所定の位置を俯瞰した位置からズームして前記第一の地図表示画面に切り替えるアニメーションを含むように表示させる、
ことを特徴とする請求項９に記載の電子機器。
【請求項１１】
スケジュールに関する情報を取得するスケジュール情報取得手段を備え、
前記表示制御手段は、前記スケジュール情報取得手段によって取得された前記スケジュールに関する情報の目的地の位置情報に応じた地図画像を表示させると共に、当該地図画像の少なくとも一部に重畳させて、前記針画像取得手段によって取得された前記針画像を所定の時刻に応じた位置に表示させるように前記表示部を制御する、
ことを特徴とする請求項１乃至１０の何れか１項に記載の電子機器。
【請求項１２】
前記位置情報取得手段が取得した現在時刻の自機の位置の位置情報と、過去の所定の時刻の位置情報とを含む範囲をユーザの移動範囲として特定する特定手段を備え、
前記表示制御手段は、ユーザの設定に応じて、前記位置情報取得手段により取得された前記移動範囲と、前記位置情報と、に応じた画像を表示させるように前記表示部を制御する処理と、前記スケジュール情報取得手段によって取得された前記スケジュールに関する情報の目的地の位置情報に応じた地図画像を表示させるように前記表示部を制御する処理とを切り替える、
ことを特徴とする請求項１１に記載の電子機器。
【請求項１３】
現在位置及び現在時刻と、前記スケジュールに関する情報の目的地及び日時とに基づいて、前記表示部に表示させる前記地図画像を更新するか否かの判定を行う地図更新条件判定手段を備え、
前記表示制御手段は、前記地図更新条件判定手段の判定結果に基づいて、前記地図画像を更新する、
ことを特徴とする請求項１１又は１２に記載の電子機器。
【請求項１４】
前記地図更新条件判定手段は、前記スケジュール情報取得手段によって、開始日時が現在時刻から第１閾値期間以内であり、目的地が現在位置から第１閾値距離以上離れている前記スケジュールに関する情報のうち、現在時刻から最も近い前記スケジュールに関する情報が検出された場合に、前記地図画像を更新すると判定する、
ことを特徴とする請求項１３に記載の電子機器。
【請求項１５】
前記地図更新条件判定手段は、前記地図画像を更新すると判定した後、現在時刻がスケジュールの開始前の第２閾値期間以内となった場合、前記地図画像を更新するための条件を充足するスケジュールが新たに検出された場合であっても、前記地図画像の更新を抑制する、
ことを特徴とする請求項１４に記載の電子機器。
【請求項１６】
前記地図更新条件判定手段は、現在位置が前記スケジュールに関する情報の目的地から第２閾値距離以内、又は、現在時刻が前記スケジュールに関する情報の終了時刻から第３閾値期間以内となった場合には、地図画像の更新の抑制を解除する、
ことを特徴とする請求項１５に記載の電子機器。
【請求項１７】
表示部を有する電子機器で実行される表示制御方法であって、
針画像を取得する針画像取得ステップと、
位置情報を取得する位置情報取得ステップと、
前記位置情報取得ステップにより取得された前記位置情報の位置を含むように地図画像を表示させると共に、前記針画像の回転の中心を当該地図画像上において前記位置情報の位置となるように、当該針画像を時刻を表す回転位置に重畳表示させるように前記表示部を制御する表示制御ステップと、
を含むことを特徴とする表示制御方法。
【請求項１８】
表示部を有する電子機器を制御するコンピュータを、
針画像を取得する針画像取得手段、
位置情報を取得する位置情報取得手段、
前記位置情報取得手段により取得された前記位置情報の位置を含むように地図画像を表示させると共に、前記針画像の回転の中心を当該地図画像上において前記位置情報の位置となるように、当該針画像を時刻を表す回転位置に重畳表示させるように前記表示部を制御する表示制御手段、
として機能させることを特徴とするプログラム。